(57)【要約】【課題】携帯情報端末装置に関し、構造が簡単で、かつ、ケース全体のひずみ等が発生しても必要な防水性能を維持することを目的とする。【解決手段】上下カバー１、２をパッキン３を介在させて嵌合、連結されたケースを有する携帯情報端末装置であって、  前記いずれか一方のカバーには、上下カバー１、２の嵌合方向に平行な立ち上がり壁４を備えたパッキン装着段部５が形成されるとともに、  他方のカバーには、前記立ち上がり壁４に対峙するパッキン押圧壁６が設けられ、  かつ、前記パッキン３は、前記パッキン装着段部５に上下方向移動可能に巻装されて、パッキン押圧壁６により所定の撓みが付与されるとともに、  立ち上がり壁４の高さが、ケースの変形時における上下カバー１、２間の発生隙間より長寸の余剰高さを有して形成される。【選択図】  図２
2006033202.tif 000002
【特許請求の範囲】
【請求項１】
上下カバーをパッキンを介在させて嵌合、連結されたケースを有する携帯情報端末装置であって、
前記いずれか一方のカバーには、上下カバーの嵌合方向に平行な立ち上がり壁を備えたパッキン装着段部が形成されるとともに、
他方のカバーには、前記立ち上がり壁に対峙するパッキン押圧壁が設けられ、
かつ、前記パッキンは、前記パッキン装着段部に上下方向移動可能に巻装されて、パッキン押圧壁により所定の撓みが付与されるとともに、
立ち上がり壁の高さが、ケースの変形時における上下カバー間の発生隙間より長寸の余剰高さを有して形成される携帯情報端末装置。
【請求項２】
前記パッキンが断面Ｄ字状のＤリングであり、
かつ、前記パッキン装着段部の立ち上がり壁とパッキン押圧壁との間隙は、上下カバーの嵌合脱離方向に向けて漸次小寸となる請求項１記載の携帯情報端末装置。
【請求項３】
前記パッキンの円弧部半径が、推奨潰し量と、ケース変形時における有効接触幅の確保を基準として決定される請求項１または２記載の携帯情報端末装置。
【請求項４】
前記パッキン装着段部のパッキン下部支承面には、パッキンとの当接部を包囲する溝が形成される請求項１、２または３記載の携帯情報端末装置。
【請求項５】
前記溝に連通し、ケース外に開口する水切り溝を備えた請求項４記載の携帯情報端末装置。
【発明の詳細な説明】
【技術分野】
【０００１】
本発明は、携帯情報端末装置に関するものである。
【背景技術】
【０００２】
上下カバーの連結部にパッキンを介在させてケース内部の防水性を確保するようにした携帯情報端末装置としては、特許文献１に記載のものが知られている。この従来例において、上下カバーには対向して段部が形成され、段部に挟まれるようにしてパッキンが装着される。
【特許文献１】実用新案登録第２５２３８８０号公報
【発明の開示】
【発明が解決しようとする課題】
【０００３】
しかし、上述した従来例において、パッキンは隣接２面が同一のカバーにより支承された状態で、周縁全周が囲まれるために、ケース全体にひずみ等が発生した場合には、予定した撓み量を確保すること困難になり、防水性能が発揮されないという問題がある。
【０００４】
本発明は、以上の欠点を解消すべくなされたものであって、構造が簡単で、かつ、ケース全体のひずみ等が発生しても必要な防水性能を維持することのできる携帯情報端末装置の提供を目的とする。
【課題を解決するための手段】
【０００５】
携帯情報端末装置のケースは上下カバー１、２をパッキン３を介して連結して形成され、上下カバー１、２のいずれか一方にはパッキン装着段部５が、他方にはパッキン押圧壁６が形成される。パッキン３は、上記パッキン装着段部５の立ち上がり壁４に巻装され、パッキン押圧壁６により所定の潰し量が付与されてシーリング性能を確保する。
【０００６】
パッキン３が上下移動可能にパッキン装着段部５に巻装され、立ち上がり壁４の高さが、ケースの変形時における上下カバー１、２間の発生隙間より長寸に形成される本発明において、例えば、ケース全体に捩り、あるいは曲げ力が付与され、上下カバー１、２間に隙間が発生した場合には、パッキン３は上下カバー１、２の境界のずれに追随して立ち上がり壁４に沿って移動することができる。図２に示すように、パッキン装着段部５の立ち上がり壁４が嵌合方向に平行であるために、パッキン３が立ち上がり壁４に沿って上下移動、すなわち、上下ケースの嵌合方向に移動しても、図２（ｂ）において実線と鎖線で示すように、パッキン３と、パッキン押圧壁６とは相対位置関係はほぼ同一に維持される。この結果、パッキン３に対する潰し量は初期設定値に保持されるために、シーリング性能が低下することがなく、本体の捩り等による防水性能の低下が防止される。
【０００７】
パッキン３には、断面円形のＯリングが使用可能であるが、断面Ｄ字形状のＤリングを使用すると、本体に捻れが生じた場合であっても、平面部３ａの立ち上がり壁４に対する圧接面積が大きなために、Ｄリングのよじれ等が発生しない。この結果、本体に対する種々の変形モードに対しても、安定したシーリング性能が発揮される。また、本体変形時に、パッキン３がパッキン押圧壁６との接触部位に先んじて立ち上がり壁４との接触部位で優先的に滑りを生じるように、当該接触部位にグリース等を塗布することも可能である。
【発明の効果】
【０００８】
本発明によれば、構造が簡単で、かつ、ケース全体のひずみ等が発生しても必要な防水性能を維持することができる。
【発明を実施するための最良の形態】
【０００９】
図１に携帯電話として構成された本発明の実施の形態を示す。携帯電話は、固定側本体９に対して可動側本体１０を折り畳み可能に連結して形成される。可動側本体１０には、アンテナ１０ａが装着され、図１に示す使用姿勢において、正面に現れる位置に液晶表示部１０ｂおよびスピーカ１０ｃが配置される。
【００１０】
図２に固定側本体９のケースを示す。ケースは、上カバー１と下カバー２とを重ね合わせるようにしてビス等の適宜の締結手段（図示せず）により連結される。５は下カバー２の外周全周に形成されるパッキン装着段部であり、鉛直方向に立設される立ち上がり壁４と、この立ち上がり壁４の基端から外周端縁方向に水平面状の下部支承面５ａを延設して形成される。
【００１１】
３はパッキンであり、この実施の形態においては、断面Ｄ字形状の、所謂Ｄリングが使用される。このＤリング３は、平面部３ａを上記パッキン装着段部５の立ち上がり壁４に摺接させた状態で巻装される。
【００１２】
６はパッキン押圧壁であり、上カバー１の外周縁全周に形成される。このパッキン押圧壁６は、下方に行くに従って漸次外開きになるように緩やかに傾斜しており、下カバー２に重ね合わせた際に上記Ｄリング３を外側から内側に向かう潰し変形を与えることができるように形成される。
【００１３】
上カバー１を装着した状態、およびケースに捩り等の変形が加えられた際にもＤリング３に所定の潰し変形が与えられるように、パッキン押圧壁６等の寸法は、以下のように決定される。
【００１４】
図２（ｂ）に示すように、まず、立ち上がり壁４の高さ（Ｈ）は、上下カバー１、２を組み付けた状態でケースに捩り等の変形を与えた際の上下カバー１、２の境界での発生隙間（δ）を吸収可能な寸法に設定される。上記発生隙間は、実機での実験、あるいはシミュレーションにより求められる。
【００１５】
すなわち、Ｄリング３の曲率を（ｒ）とすると、Ｄリング３の平面部３ａの高さは、２ｒとなり、
Ｈ＞２ｒ＋δ
となるように設定される。
【００１６】
この結果、ケースに上述した変形が生じ、これに追随してＤリング３が立ち上がり壁４との当接面を摺接面として移動しても、Ｄリング３が立ち上がり壁４から脱落することが確実に防止される。
【００１７】
さらに、図３（ａ）に示すように、ケースが変形してもＤリング３が所定のシーリング性能を発揮することができるように、Ｄリング３の曲率部の半径（ｒ）と、Ｄリング３に所期のシーリング性能を発揮させるための推奨潰し量（ｘ）、パッキン押圧壁６による接触幅（ｙ）との間には、パッキン押圧壁６の傾斜角を（θ）として、
ｒ2＝  ｙ2＋｛（ｒ−ｘ）＋ｙ×ｔａｎθ｝2
が成立する。
【００１８】
ただし、接触幅（ｙ）は図に示すように、潰し量（ｘ）が過大になることなく、所期のシーリング性能を発揮できる領域、すなわち、Ｄリング３の曲率部の頂部から下方の範囲をさす。
【００１９】
したがって、使用されるＤリング３は、曲率部の半径（ｒ）が、
【数１】
2006033202.tif 000003
【００２０】
を満足するように決定される。
また、潰し量（ｘ）と接触幅（ｙ）、Ｄリング３の曲率部の半径（ｒ）との間には、図３（ｂ）に示すように、
ｒ2＝ｙ2＋Ｌ2
の関係があり、潰し量（ｘ）は、
ｘ＝ｒ−Ｌ＋ｙ×ｔａｎθ
の関係があるために、
潰し量（ｘ）は、
ｘ＝ｒ−（ｒ2−ｙ2）1/2＋ｙ×ｔａｎθ
を満足するように設定される。
【００２１】
図４に本発明の第２の実施の形態を示す。なお、この実施の形態の説明において、上述した実施の形態と実質的に同一の構成要素は、図中に同一符号を付して説明を省略する。
この実施の形態において、パッキン装着段部５の下部支承面５ａには全周に渡って溝７が凹設される。溝７は、下部支承面５ａのＤリング３の底壁との接触面より外側に形成され、上下カバー１、２の境界から侵入した水のＤリング３への接触を防止する。
【００２２】
この溝７は、水切り溝８を経由して接合面外部に開通しており、該溝７内の水は速やかにケース外部に排出される。
【図面の簡単な説明】
【００２３】
【図１】本発明を適用された携帯電話を示す全体斜視図である。
【図２】本発明を示す図で、（ａ）は上下カバーの接合部を示す断面図、（ｂ）はケース捻れ等による隙間発生を示す要部拡大断面図である。
【図３】パッキン諸元の決定方法を示す説明図である。
【図４】本発明の第２の実施の形態を示す図で、（ａ）は要部斜視図、（ｂ）は平面図である。
【符号の説明】
【００２４】
１        上カバー
２        下カバー
３        パッキン
４        立ち上がり壁
５        パッキン装着段部
６        パッキン押圧壁
７        溝
８        水切り溝
【図１】
2006033202.tif 000004
【図２】
2006033202.tif 000005
【図３】
2006033202.tif 000006
【図４】
2006033202.tif 000007